(57)【特許請求の範囲】
【請求項１】
直流電源の電圧を整流して直流電圧に変換する整流回路と、この直流電圧を所望の周波数および交流電圧に変換する逆変換回路とを筐体内部に配備したインバーであって、インバータ筐体内の発熱を外部に放熱する山形のフィンを基板の下面に並べて突出させ、該基板がインバータ筐体の底板を兼ねたヒートシンクと、該ヒートシンクに送風する冷却ファンとを備えたインバータにおいて、冷却ファンの送風の一部が前記インバータ筐体の内部に流入するように通風孔を設けたことを特徴とするインバータ。
【請求項２】
請求項１に記載のインバータにおいて、冷却ファンの一部をインバータ筐体内部に突出させ、冷却ファンの後面に切り欠き部を有するファンガードを設けて冷却ファンの送風の一部が通る通風孔を形成したことを特徴とするインバータ。
【請求項３】
請求項１に記載のインバータにおいて、前記通風孔の高さを１ｍｍ以下にしたことを特徴とするインバータ。
【発明の詳細な説明】
【０００１】
【発明の属する技術分野】
この発明は、内部発熱を筐体の底板を兼ねたヒートシンクと、該ヒートシンクに送風する冷却ファンとにより冷却するようにした全閉形のインバータに関する。
【０００２】
【従来の技術】
図３は従来例の構成を示し、（ａ）はインバータの側断面図、（ｂ）は（ａ）のＡ矢視図を示す。この図３において、１はインバータ筐体内の熱を外部に放熱するフィンを基板の下面に並べて突出させ該基板が前記筐体の底板を兼ねたヒートシンク、２は該ヒートシンク１に送風する冷却ファン、３は複数のスリットを有し、冷却ファン２の前面からの進入物を遮るファンガード、４、５は交流電圧を整流する整流回路、および該整流回路で整流された直流電圧を所望の周波数の交流電圧に変換する逆変換回路、およびそれらの制御回路などの素子が実装されたプリント板、６、７はインバータのケースカバーを示す。この図３において、インバータはヒートシンク１の上面に交流電圧を整流する整流回路、および該整流回路で整流された直流電圧を所望の周波数の交流電圧に変換する逆変換回路およびそれらの制御回路などの素子が実装されたプリント板４，５を取付け、ヒートシンクの下面の前側のフィンを除いた部分に冷却ファン２を取付けケースカバー６，７により覆い、ヒートシンクおよびケースカバー６、７によりインバータ筐体を構成しており、１ｍｍを超えるワイヤ，鋼帯などの固形物体の先端がインバータ内部に進入しない全閉形（ＪＥＭ１２６７のＩＰ４０相当）になっている。上記の構成において、インバータ内部の発熱は、発熱量の多いモジュールで直接ヒートシンク１に取付けられたものからの発熱を除いてインバータ筐体内の対流によりヒートシンク１に伝達され、前記直接ヒートシンク１に取付けられたモジュールからの発熱とともに外部に突出したフィン部に伝えられて、冷却ファン２の送風により冷却される。
【０００３】
【発明が解決しようとする課題】
ところで上記の構成では、インバータ筐体内の発熱は、最も発熱の多い部品でヒートシンクに直接取り付けたモジュールからの発熱を除いて、筐体内の対流によるヒートシンクとの熱伝達にたよっているため熱容量に余裕を持たせた素子の選択、および構成が必要であった。
【０００４】
この発明は上記課題を解決するためになされたもので、その目的とするところインバータ筐体内の対流を良くして直接ヒートシンクに取付けられない素子の冷却も充分に行えるようにし、筐体内の冷却効率を高めるようにしたインバータを提供することにある。
【０００５】
【課題を解決するための手段】
上記課題を解決するために請求項１記載の発明は、直流電源の電圧を整流して直流電圧に変換する整流回路と、この直流電圧を所望の周波数および交流電圧に変換する逆変換回路とを筐体内部に配備したインバーであって、インバータ筐体内の発熱を外部に放熱する山形のフィンを基板の下面に並べて突出させ、該基板がインバータ筐体の底板を兼ねたヒートシンクと、該ヒートシンクに送風する冷却ファンとを備えたインバータにおいて、冷却ファンの送風の一部が前記インバータ筐体の内部に流入するように通風孔を設けたことを特徴とする。
【０００６】
また請求項２の発明は、請求項１に記載のインバータにおいて、冷却ファンの一部をインバータ筐体内部に突出させ、冷却ファンの後面に切り欠き部を有するファンガードを設けて冷却ファンの送風の一部が通る通風孔を形成したことを特徴とする。
さらに請求項３の発明は、請求項１に記載のインバータにおいて、前記通風孔の高さを１ｍｍ以下にしたことを特徴とする。
【０００７】
上記構成によりインバータ筐体内にはファンガードの切り欠き部から冷却ファンの送風が流入するので筐体内ではこの流入した風により強制的に内部の空気が攪拌された各素子からの抜熱を促進するとともに、前記内部空気とヒートシンクとの熱伝達を促進して各素子の冷却を良くすることが可能になる。
また、これにより伴い回路素子の熱容量の余裕を少なくすることができ、その分コストを低減することができる。
【０００８】
【発明の実施の形態】
図１はこの発明の実施の形態の主要部の構成図を示す。この図１において、従来例と同一の符号を付けた部材はおおよそ同一の機能を有するのでその説明は省略する。この図１において、１はインバータ筐体内の熱を外部に放熱するフィンを基板１ｂの下面に並べて突出させ該基板が前記筐体の底板を兼ねたヒートシンク、２は該ヒートシンク１の基板１ｂの一部を切り欠いて切り欠き１ｃを形成し、該切り欠き部に前記ヒートシンクを冷却する送風の一部がインバータ筐体内に流入するように取付けた冷却ファン、４、５は交流電圧を整流する整流回路、および該整流回路で整流された直流電圧を所望の周波数の交流電圧に変換する逆変換回路、およびそれらの制御回路などの素子を実装したプリント板、６、７はインバータのケースカバー、８はファンガードであり、スリットを有し冷却ファン２の前面からの進入物を遮る前面部、冷却ファン２の上面をカバーする上面部、インバータ筐体内に冷却ファン２の送風が流入する隙間の高さが１ｍｍ以下になる切り欠き部８ａを有する後面部を備え、断面かき形に一体成形されている。この図１において、インバータはヒートシンク１の上面に、交流電圧を整流する整流回路、および該整流回路で整流された直流電圧を所望の周波数の交流電圧に変換する逆変換回路およびそれらの制御回路などの素子が実装されたプリント板４，５を取付け、該ヒートシンク１の前側の一部を冷却ファン２と略同じ大きさに切り欠いた切り欠き部１ｃから冷却ファン２の一部をインバータ筐体内部側、すなわちプリント板４、５が位置する側に突出させ、冷却ファン２の送風の一部が前記インバータ筐体の内部に流入するように冷却ファン２を装着する。該冷却ファン２の上部および前面を覆うとともにインバータ筐体内に流入する送風のための隙間が１ｍｍ以下の高さになる切り欠き部８ａを有するファンガード８を取付け、ケースカバー６，７によりカバーして構成しており、ヒートシンク１の基板１ｂと切り欠き部８ａとにより形成される通風孔が、１ｍｍを超えるワイヤ鋼帯などの固形物体の先端がインバータ内部に進入しない全閉形になっている。このように通風孔を１ｍｍ以下にすることにより、ＪＥＭ１２６７のＩＰ４０で規定された全閉形を遵守しながら冷却効率を高めることができる。上記の構成において、インバータ内部は、冷却ファン２から流入した送風により攪拌されて、交流電圧を整流する整流回路、および該整流回路で整流された直流電圧を所望の周波数の交流電圧に変換する逆変換回路およびそれらの制御回路などの素子の発熱は、ヒートシンク１に熱伝達され、図示されていない直接ヒートシンク１に取付けられたモジュールからの発熱とともに外部に突出したフィン部に伝えられて、冷却ファン２の送風により冷却される。
【０００９】
【発明の効果】
この発明によれば、冷却ファンの送風の一部が前記インバータ筐体内部に流入するように通風孔を設けたことにより、筐体内部に流入した冷却風により発熱素子からの抜熱を促進するとともに、筐体内部空気とヒートシンクの熱伝達を促進して、冷却効率を高めることができる。
【図面の簡単な説明】
【図１】この発明の実施の形態の主要部分の構成を示し、（ａ）はインバータの側断面図、（ｂ）は（ａ）のＡ矢視図
【図２】図１のＰ矢視図
【図３】従来例の構成を示し、（ａ）はインバータの側断面図、（ｂ）は（ａ）のＡ矢視図
【符号の説明】
１      ヒートシンク
２      冷却ファン
８      ファンガード
８ａ    切り欠き部
【図１】
0003598827.tif 000002
【図２】
0003598827.tif 000003
【図３】
0003598827.tif 000004